(57)【要約】【課題】天井付近や壁面付近のみの空気を排出するのではなく、畜舎内部の空気を良好に排出しうる換気装置を提供する。【解決手段】上端部３１ｂが畜舎１０の屋根１５から上方に開口し、下端部３１ａが畜舎１０内に開口してなる、上下方向に延びた筒状の排気管３１と、排気管３１内部に設けられ、排気管３１の下端部３１ａから吸い込んだ空気を排気管３１内を流通させて上端部３１ｂから排出させるファン３２とを具備し、排気管３１は、上下方向に伸縮可能に設けられている。【選択図】図３
2010104300.tif 000002
【特許請求の範囲】
【請求項１】
上端部が畜舎の屋根から上方に開口し、下端部が畜舎内に開口してなる、上下方向に延びた筒状の排気管と、
該排気管内部に設けられ、前記排気管の下端部から吸い込んだ空気を排気管内を流通させて上端部から排出させるファンとを具備し、
前記排気管は、上下方向に伸縮可能に設けられていることを特徴とする畜舎の換気装置。
【請求項２】
前記排気管の上下方向の長さを調整可能な長さ調整手段が設けられていることを特徴とする請求項１記載の畜舎の換気装置。
【請求項３】
前記排気管の下端部はベルマウス形状に形成されていることを特徴とする請求項１または請求項２記載の畜舎の換気装置。
【請求項４】
前記排気管の下端部の開口面をいずれかの方向へ向けることができる向き調整手段が設けられていることを特徴とする請求項１〜請求項３のうちのいずれか１項記載の畜舎の換気装置。
【請求項５】
前記長さ調整手段は、一端が前記排気管の下端部に締結され、他端を引っ張ることによって排気管の下端部が上昇するように中途部が前記一端よりも上方に設けられた架け渡し部材に架け渡された複数の紐状部材であることを特徴とする請求項２〜請求項４のうちのいずれか１項記載の畜舎の換気装置。
【請求項６】
前記向き調整手段は、複数の紐状部材のうち少なくともいずれか１つの紐状部材による排気管の下端部の上昇距離を増やすことにより、下端部の上昇距離を増やした方向に開口面が向くように設けられていることを特徴とする請求項５記載の畜舎の換気装置。
【請求項７】
請求項４記載の換気装置を、畜舎内部の空気の流通方向に沿って複数配置し、
前記排気管の下端部の開口面を空気の流通方向上流に向けることにより、畜舎内の風速を上げることを特徴とする畜舎の換気方法。
【発明の詳細な説明】
【技術分野】
【０００１】
本発明は畜舎内を換気する換気装置および換気方法に関する。
【背景技術】
【０００２】
牛舎、豚舎および鶏舎等の畜舎においては、畜舎内を良好な飼育環境に維持するために、換気装置が設けられている。
以下、従来の換気装置について説明する。
畜舎の換気装置としては、畜舎の天井部分に換気用の窓を設け、この窓から畜舎内の空気を排気することが知られている（例えば、特許文献１参照）。このような構造の畜舎では、畜舎の側面または下方から外気が導入される。
【０００３】
また、畜舎の窓にファンを設け、ファンによって強制的に畜舎内の空気を排気する構成も開示されている（例えば、特許文献２参照）。
【０００４】
【特許文献１】特開２００３−１６４２３５号公報
【特許文献２】特開２００７−９３０６２号公報
【発明の開示】
【発明が解決しようとする課題】
【０００５】
上述した特許文献１に開示されているような換気装置では、天井付近に存在する暖まった空気のみが排気されやすい。したがって、入気した新鮮な空気がそのまま排気されてしまうという課題がある。また、このような構成では、暖房が必要な時期には、畜舎内の温度を一定に維持することが困難であり、暖房費（燃料代）がかさんでしまうという課題もある。
【０００６】
また、特許文献２に開示されているような換気装置では、畜舎の壁面に設けられたファンが畜舎内の空気を強制的に排気する。
しかし、鶏卵採取用の鶏を飼育する鶏舎のように建物内に複数列のネストが存在しているような場合、ネストとネストとで挟まれた空間の空気は排気されにくく、良好な飼育環境を作りにくいという課題がある。
【０００７】
なお、天井付近で排気をすると、鶏卵採取用の鶏舎では短時間でアンモニアやＣＯ２濃度が高い空気を排出することができ、良好な飼育環境を提供できる。
しかし、ブロイラーを飼育する鶏舎の場合には、床面で飼育を行うため、鶏が成長するにつれて床面付近のアンモニア濃度が上昇し、また床面の湿りも多くなってしまい、育成率の低下により生産効率が下がるという課題がある。
【０００８】
そこで、本発明は、上記課題を解決すべくなされ、その目的とするところは、天井付近や壁面付近のみの空気を排出するのではなく、畜舎内部の空気を良好に排出しうる換気装置を提供することにある。
【課題を解決するための手段】
【０００９】
本発明にかかる畜舎の換気装置によれば、上端部が畜舎の屋根から上方に開口し、下端部が畜舎内に開口してなる、上下方向に延びた筒状の排気管と、該排気管内部に設けられ、前記排気管の下端部から吸い込んだ空気を排気管内を流通させて上端部から排出させるファンとを具備し、前記排気管は、上下方向に伸縮可能に設けられていることを特徴としている。
この構成を採用することによって、排気管を下方に向けて伸ばすことで、天井付近の空気だけでなく、様々な位置における空気を排気できる。また、天井から排気管が下方に伸びてくるので、畜舎内に複数のネスト等が配置されている場合であっても、ネストとネストとの間の空気を良好に排気できる。また、床面付近の空気を排気することができるので、ブロイラーの飼育にあっても良好な飼育環境を提供できる。
【００１０】
また、前記排気管の上下方向の長さを調整可能な長さ調整手段が設けられていることを特徴としてもよい。
この構成によれば、畜舎の高さに応じ、また飼育している家畜の大きさに応じて排気管の長さを調整することができるので、より好適な飼育環境を提供できる。
【００１１】
前記排気管の下端部はベルマウス形状に形成されていることを特徴としてもよい。
このように構成することによって、排気管内に流入する空気流がスムーズになる。
【００１２】
また、前記排気管の下端部の開口面をいずれかの方向へ向けることができる向き調整手段が設けられていることを特徴としてもよい。
この構成によれば、排気したい箇所に開口面を向けることができ、排気したい箇所の空気を的確に排気できるようになる。
【００１３】
さらに、前記長さ調整手段は、一端が前記排気管の下端部に締結され、他端を引っ張ることによって排気管の下端部が上昇するように中途部が前記一端よりも上方に設けられた架け渡し部材に架け渡された複数の紐状部材であることを特徴としてもよい。
【００１４】
前記向き調整手段は、複数の紐状部材のうち少なくともいずれか１つの紐状部材による排気管の下端部の上昇距離を増やすことにより、下端部の上昇距離を増やした方向に開口面が向くように設けられていることを特徴としてもよい。
【００１５】
本発明にかかる換気方法によれば、請求項４記載の換気装置を、畜舎内部の空気の流通方向に沿って複数配置し、前記排気管の下端部の開口面を空気の流通方向上流に向けることにより、畜舎内の風速を上げることを特徴とする。
【発明の効果】
【００１６】
本発明にかかる畜舎の換気装置によれば、天井付近だけでなく様々な位置の空気を排気できるので、床面付近の空気を良好に排気することができ、また、ネストが存在している場合であっても、ネスト間の隙間の空気を排気できるので、飼育環境を良好に維持することができる。そして、特に暖房が必要な時期の暖房費の節減に寄与する。
本発明にかかる畜舎の換気方法によれば、畜舎内の風速を容易に上げることができ、夏場のブロイラー飼育においては、鶏の体感温度を下げることができる。
【発明を実施するための最良の形態】
【００１７】
まず、本発明に係る畜舎の換気装置が設けられる畜舎全体の概要について、図１〜図２に基づいて説明する。図１は、畜舎の平面図であり、図２は、畜舎の側面図である。
なお、本実施形態における畜舎で飼育される家畜としては鶏であって、畜舎は鶏舎と呼ばれる。この鶏舎１０は食肉用の鶏を飼育するものであり、鶏は床の上で放し飼いにされて飼育される。
鶏舎１０は、平面視すると細長い長方形状に形成されており、図１〜図２で示す鶏舎１０は幅１２ｍ程度、長さ８０ｍ程度である。このような鶏舎１０に対し、天井には本発明にかかる換気装置３０がほぼ所定間隔を開けて複数箇所（図１では５箇所）に設けられている。
【００１８】
鶏舎１０の長手方向に沿った側面１１には空気取り込み用の小さい窓１２が設けられているが、換気用の大きな窓は設けられていない。鶏舎の短手方向に沿った両側面１３ａ，１３ｂにはそれぞれ換気用の窓１４が設けられている。このような構成とすることで、鶏舎の長手方向に沿って外気が流通し、換気が行える。なお、この窓１４のうち一方の側面１３ａにはファンを設け、他方の側面１３ｂにはファンを設けないようにしてもよい。
このような鶏舎はウインドレス鶏舎と言い、内部は照明灯によってその明るさが調整される。
【００１９】
図３に基づいて、換気装置の鶏舎への取付構造について説明する。
本実施形態における鶏舎１０は、天井が形成されておらず、柱９に対して傾斜して取り付けられた屋根支え用の複数のビーム８と、各ビーム８の上に配置されたサブビーム７の上に屋根１５が設けられている。
鶏舎１０の屋根１５には、換気装置３０を取り付けるための取付穴２０が穿設されており、換気装置３０の上端部が取付穴２０から屋根１５の外側に突出するように屋根１５に対して取り付けられる。
【００２０】
屋根１５の外側においては、取付穴２０から突出する換気装置３０の上端部の外周及び上面を覆う風雨防護部２２が設けられている。風雨防護部２２は、換気装置３０の上端部の外周において配置された排気が可能なガラリ１６と、上面において配置された雨の進入を防止する屋根１７とを備えている。
換気装置３０が鶏舎１０内の空気を換気装置３０の上端部へ送り込み、上端の開口部から排気すると、この排気は風雨防護部２２の側面のガラリ１６から排気される。
【００２１】
次に、図４〜図６に基づいて本発明にかかる換気装置３０について説明する。図４は、換気装置の全体構成を示し、図５は、換気装置の下部の変形部について示している。図６は、換気装置の上端部の構成について示している。なお、図４では、変形部３４は縮んでおり固定部３５と比較して短い状態で図示されている。
【００２２】
換気装置３０は、鶏舎１０の屋根１５から屋根１５の外部へ上端部が突出する筒状の排気管３１を備えており、この排気管３１の内部にファン３２が設けられている。ファン３２が回転駆動することによって、鶏舎１０内の空気が排気管３１の下端部の流入口３１ａから流入し、排気管３１内部を流通して排気管３１の上端部の排気開口部３１ｂから排気される。
【００２３】
換気装置３０の排気管３１は、上下方向の所定箇所で区切った上側と下側とではその構造が異なっており、上側は変形不能な円筒状に形成された固定部３５であり、下側は上下方向に伸縮可能に形成された変形部３４である。
固定部３５は、例えばポリエチレンなどの合成樹脂製であり、鶏舎１０への取り付け、並びに内部にファン３２を内蔵する必要があるため、変形しないように強固に形成される。
【００２４】
以下、固定部３５の構造と、鶏舎１０への固定方法について説明する。
換気装置３０は、固定部３５がビーム８またはサブビーム７から吊り下げられて固定されている。具体的には、取付穴２０の周囲のサブビーム７には枠（図示せず）が組み付けられ、この枠に固定部３５の周囲を囲むように配置された4本の柱材２６が取り付けられている。柱材２６の下端部には、固定部３５の周囲を囲むように配置された枠状の保持部材２７が取り付けられている。
【００２５】
保持部材２７は、固定部３５の所定位置において、排気管３１の外周全体を囲むように配置される。この保持部材２７はＬ字状の固定金具５１によって固定部３５の外壁に固定されている。保持部材２７は、例えば木製の角柱であり、排気管３１の周囲を、平面視四角形状に囲むように配置される。
【００２６】
このようにして排気管３１に取り付けられた保持部材２７と、鶏舎１０の屋根１５の下に配置されたサブビーム７から下方に向けて設けられた柱材２６とによって換気装置３０が吊り下げられる。
【００２７】
次に、排気管３１内へのファン３２の取り付け構造について説明する。
排気管３１の固定部３５の内壁面には、ファン３２を構成するモータ４９を支持する支持部材５２が内側に突出するように設けられている。支持部材５２がモータ４９を支持することによって、ファン３２は排気管３１内の所定箇所で固定される。
【００２８】
また、図６に示すように、排気管３１の排気開口部３１ｂには、外気の逆流防止用の逆流防止弁２４が設けられている。逆流防止弁２４の具体例としては、厚さ５ｍｍ〜１ｃｍ程度のポリウレタン製のシート（防水加工が必要）等を用いることができる。
逆流防止弁２４は、排気開口部３１ｂの径よりも大径であって、排気開口部３１ｂから排気される空気に押圧されると排気開口部３１ｂから外方に向かって開く。そして、逆流防止弁２４は、排気管３１からの排気が無いときは、自重および外気によって排気開口部３１ｂ方向に押圧されて排気開口部３１ｂの端縁に当接し、排気開口部３１ｂは閉塞される。
【００２９】
図７〜図９に、逆流防止弁２４の具体的構成を示す。図７は、排気開口部を閉塞しているときの平面図、図８は、排気開口部を閉塞しているときの側面図、図９は、逆流防止弁の開閉部分の取付構造の拡大図である。
逆流防止弁２４としては、上記のように軽量の板状部材２４ａ，２４ｂが排気開口部３１ｂの上面に対して２枚取り付けられて構成されている。
各板状部材２４ａ，２４ｂは、排気開口部３１ｂの円の中心を通る直線に対して対向して配置され、この直線を中心に上方に向けて回動可能にそれぞれ取り付けられる。
【００３０】
各板状部材２４ａ，２４ｂの、互いに対向する側の端部には、それぞれ複数個のクリップ状部材６０ａ，６０ｂがネジ６３等によって取り付けられている。クリップ状部材６０ａ，６０ｂは、側面視するとコの字状に形成されており、板状部材２４ａ，２４ｂを挟み込んでいる部位とコの字の壁面６１との間に空隙６２が形成される。
この空隙６２に排気開口部３１ｂの円の中心を通る直線上に配置される回動用支持シャフト６４が挿入される。各クリップ状部材６０ａ，６０ｂは、回動用支持シャフト６４を中心に自由に回動可能となる。回動用支持シャフト６４の両端部は、固定部３５の側面に対して取り付けられる支持具６５によって固定されている。
このような構成により、排気圧が各板状部材２４ａ，２４ｂの下面を押圧すると、各板状部材２４ａ，２４ｂが容易に上方へ開いて排気が可能となる。
【００３１】
また、各板状部材２４ａ，２４ｂの回動について、回動しすぎないように各板状部材２４ａ，２４ｂが所定の位置で停止するように規制する規制部材６６が設けられている。規制部材６６は、回動用支持シャフト６４の上方に設けられ、回動用支持シャフト６４よりも外方に突出して回動した各板状部材２４ａ，２４ｂに当接する。
【００３２】
次に変形部の構成について説明する。
変形部３４は、上下方向に伸縮可能に設けられている部位であり、具体的には、排気管３１におけるファン３２よりも下方に位置する部位が、低剛性の変形自在なシート状部材で形成されている。
このようなシート状部材の変形部３４は、何も力を加えていないときは自身の重量および下端部の取り入れ口部材（後述する）３８の重量によって下方に力が加えられているので、通常下方に向けて伸びた状態となる。
そして、何らかの手段で変形部３４の下端部を持ち上げることによって変形部３４を変形させて縮めることにより、排気管３１の上下方向の長さを自在に変更することができる。
【００３３】
なお、固定部３５の下端部３５ａはベルマウス形状に形成されており、変形部３４のシート状部材は、このベルマウス形状の下端部３５ａに取り付けられる。
【００３４】
変形部３４を構成するシート状部材としては、ポリエステルやナイロンで形成されたターポリン、あるいは綿などで形成された帆布など様々なものを採用できる。ただし、汚れが付着した場合の洗浄しやすさや、耐熱性・耐火性などを考慮する必要がある。
【００３５】
変形部３４には、筒状の形状維持のために、金属製でリング状の保持部材３６が所定間隔おきに、上下方向に亘って取り付けられている。したがって、変形部３４は、その上下方向の長さが縮められる際には、保持部材３６と上下方向に隣接する保持部材３６との間でシート状部材が蛇腹状に折り畳まれる。
【００３６】
排気管３１の下端部（変形部３４の下端部）はベルマウス形状に形成されている。具体的には、排気管３１の変形部３４の下端部には、ベルマウス形状に形成された取り入れ口部材３８が取り付けられている。取り入れ口部材３８は合成樹脂等で形成されており、外壁面が、下方に向けて徐々に大径となるような曲面で形成されている。
取り入れ口部材３８の外壁面の上端部は垂直に立ち上がるように形成されており、この上端部と、排気管３１の変形部３４の下端部とがボルト５８とナット５９によって複数箇所で固定されることで、取り入れ口部材３８が排気管３１に取り付けられる。
このように、排気管３１の下端部をベルマウス形状に形成したことによって、排気管３１には空気がスムーズに流入するようになる。
【００３７】
また、取り入れ口部材３８の下端部周縁３８ａは、ほぼ水平となるように形成されており、この水平の周縁には上方に向けて突出するアイボルト（リング状の部材）４０が取り付けられる。
このアイボルト４０には、排気管３１の下端部の高さを調節するための紐状部材４２の一端が結びつけられている。紐状部材４２は、他端をユーザ（作業者）が引っ張ることによって、一端に連結された排気管３１の下端部を上昇させるために設けられているものである。すなわち、本実施形態では、この紐状部材４２が特許請求の範囲でいう高さ調整部材に該当する。
【００３８】
次に、図１０〜図１２に基づいて換気装置３０の伸縮動作について説明する。なお、図１０は変形部が伸びているところ、図１１は変形部が縮んでいるところ、図１２は変形部が伸びている状態で開口部の向きを変えているところを示す。
また、これらの図面では上述した保持部材２７などを省略して図示している。
【００３９】
取り入れ口部材３８において上方へ突出するように設けられたアイボルト４０には、紐状部材４２の一端が挿入され、長さ調整部材４６に固定されている。長さ調整部材４６は、アイボルト４０との間の紐状部材４２の長さ調整をするために用いられるものであり、紐状部材４２を通す２つの穴４７，４７が形成されている。
紐状部材４２の一端は、まず長さ調整部材４６の上方の穴４７に挿入され、アイボルト４０のリング状の部分を通して、長さ調整部材４６の下方の穴４７に挿入され、縛ったりして結び目を作り、穴４７から抜けないようにすることで固定される。
【００４０】
また、紐状部材４２の他端は、ユーザの手の届く範囲で上方から垂れ下がるように設けられるとよい。
すなわち、図１０〜図１２に示すように、紐状部材４２は排気管３１の下端部から上方に延び、中途部がビーム８に設けられた複数（単数でもよい）の滑車４４に掛け渡され、他端が下方に位置するように滑車４４から下向きに向かって延びている。紐状部材４２の他端は、鶏舎１０の壁面等に設けられたフック状部材５７にかけて固定させればよい。なお、本実施形態の滑車４４が特許請求の範囲でいう架け渡し部材に該当する。したがって、本発明としては、紐状部材４２を架け渡すのは滑車には限定されず、単なるリング状またはフック状の部材であってもよい。
【００４１】
また、紐状部材４２は、排気管３１の平面視すると所定間隔おきにわたって複数本設けられている。好ましくは所定の間隔をあけて３本程度の紐状部材４２を設けることが好ましい。ただし、図面上では２本の紐状部材４２しか示していない。
すなわち、図１１に示すように、複数本の紐状部材４２の他端をそれぞれ等しい長さ分だけ引っ張ることによって、排気管３１の下端部を所定の高さにまで引き上げることができる。
また、複数本の紐状部材４２の他端を、なるべく１箇所に集めることによりユーザの作業性を良くすることができる。
【００４２】
なお、図１２に示すように、複数本の紐状部材４２のうち、いずれかの紐状部材４２の長さ調整部材４６によって長さ調整をすることにより、この紐状部材４２の一端が取り付けられた部分のみが高く持ち上げられる。すなわち、長さ調整部材４６を紐状部材４２に対してスライドさせるように上方に引っ張り上げることで、排気管３１の下端部を任意の傾きにすることができる。
この結果、排気管３１の下端部の開口面が傾いて、排気管３１の下端部の開口面が床面ではない方向を向くようにすることができる。
すなわち、複数本の紐状部材が特許請求の範囲でいう向き調整手段に該当する。
【００４３】
次に、上述してきた換気装置の使用形態について、図１３〜図１５に基づいて説明する。
これらの図は、１つの鶏舎１０に対して複数の換気装置３０が長手方向に複数配置されているところを示している。この構成の鶏舎１０では、側面１３ａの窓１４にファンが設けられており、鶏舎１０内では、鶏舎１０の長手方向に沿って空気が流通するようになっている。
【００４４】
図１３では、換気装置３０の変形部３４を縮めており、排気管３１の流入口３１ａが屋根１５に近い位置に配置される。この場合は、屋根付近の暖かい空気を排気する。なお、床面付近の空気は窓１４からの排気をすることができる。ただし、鶏卵用のネスト（鶏に卵を産ませる場所）が設けられていると、ネストとネストとの間の空気はなかなか排気されずに滞留することとなってしまい、鶏の飼育環境に影響を及ぼすおそれもある。
【００４５】
図１４では、換気装置３０の変形部３４を伸ばしており、排気管３１の流入口３１ａが床面に近い位置に配置される。この場合は、鶏がいる床面近くの空気を確実に排気できる。このため、鶏が生活する床面付近の温度を下げ、アンモニア濃度も下げることができるので、鶏の生活環境を改善することができる。また、上部の暖まった空気を保持することができるので、暖房効率を良くし、暖房費の節減などにも寄与する。
【００４６】
図１５には、複数の換気装置３０の流入口３１ａの向きを揃えて鶏舎１０内を流れる空気の風速を上げる構成を示している。
ここでは、元々鶏舎１０内では、長手方向に沿って空気が流通するように設けられており、複数の換気装置３０はこの空気の流通方向に沿って配置されている。
各換気装置３０の流入口３１ａは、空気の流通方向の上流側を向くように傾けられる。すると、流通する空気が各流入口３１ａに吸い込まれていくので、鶏舎１０内の風速を容易に上げることができる。このため、特に夏場のブロイラー飼育においては、鶏の体感温度を下げることができる。
【００４７】
また、畜舎内で家畜の飼育を場所を区切って行う場合もある。例えば、食肉用の鶏の場合、雛のように小さいときは畜舎内を区切った一部内のみで飼育を行い、大きくなるにつれて畜舎全体を使って飼育を行うことが考えられる。
このような場合、換気装置３０の位置によっては、単に排気管３１を下降させただけでは排気したい場所に排気管３１の下端部が到達しないこともある。かかる場合、高さ調整手段を用いて排気管の下端部を鶏の成長に合わせて所定の高さに調整するとともに、上述した向き調整手段を用いて家畜が飼育されている側に下端部の開口部を向けるようにするとよい。すると、飼育スペース側（排気したい空気が存在する箇所）の空気を適切に排気することができる。
【００４８】
なお、上述してきた実施形態では、排気管の伸縮は、シート状部材を排気管の構成としてこのシート状部材が折り畳まれたり延びたりして、伸縮を可能とした。
しかし、本発明としてはこの構成に限定することはない。例えば、排気管を蛇腹状に形成し、蛇腹の部分を伸縮させることにより排気管を伸縮可能に設けても良い。さらに、この蛇腹の部分が変形させた状態一定の形状を保持できる構成であれば好適である。
【００４９】
上述した実施形態では、畜舎の例としてウインドレスの鶏舎を例に挙げたが、本発明はウインドレスの鶏舎に限らず、牛舎、豚舎等様々な家畜を飼育する畜舎に採用することができる。
【図面の簡単な説明】
【００５０】
【図１】本発明に係る換気装置を設置する畜舎の概略平面図である。
【図２】図１に示した畜舎の側面図である。
【図３】換気装置の畜舎への取付構造を示す説明図である。
【図４】換気装置の全体構成を示す側面図である。
【図５】換気装置の変形部を示す側面図である。
【図６】排気管の上端部の構成を示す説明図である。
【図７】逆流防止弁が排気開口部を閉塞しているところを示す平面図である。
【図８】逆流防止弁が排気開口部を閉塞しているところを示す側面図である。
【図９】逆流防止弁の取付構造の拡大図である。
【図１０】換気装置の変形部を伸ばした使用状態を示す説明図である。
【図１１】換気装置の変形部を縮めた使用状態を示す説明図である。
【図１２】排気管の下端部の向きを変えたところを示す説明図である。
【図１３】畜舎内に複数の換気装置を設け、排気管を縮めたときの作用効果を説明する説明図である。
【図１４】畜舎内に複数の換気装置を設け、排気管を伸ばしたときの作用効果を説明する説明図である。
【図１５】畜舎内に複数の換気装置を設け、流入口を傾けて向きを揃えたときの作用効果を説明する説明図である。
【符号の説明】
【００５１】
７  サブビーム
８  ビーム
９  柱
１０  鶏舎（畜舎）
１１  側面
１２，１４  窓
１３ａ，１３ｂ  側面
１５，１７  屋根
１６  ガラリ
２０  取付穴
２２  風雨防護部
２４  逆流防止弁
２４ａ，２４ｂ  板状部材
２６  柱材
２７  保持部材
３０  換気装置
３１  排気管
３２  ファン
３４  変形部
３５  固定部
３６  保持部材
３８  取り入れ口部材
４０  アイボルト
４２  紐状部材
４４  滑車
４６  長さ調整部材
４７  穴
４９  モータ
５１  固定金具
５２  支持部材
５７  フック状部材
５８  ボルト
５９  ナット
６０  クリップ状部材
６１  壁面
６２  空隙
６３  ネジ
６４  回動用支持シャフト
６５  支持具
６６  規制部材
【図１】
2010104300.tif 000003
【図２】
2010104300.tif 000004
【図３】
2010104300.tif 000005
【図４】
2010104300.tif 000006
【図５】
2010104300.tif 000007
【図６】
2010104300.tif 000008
【図７】
2010104300.tif 000009
【図８】
2010104300.tif 000010
【図９】
2010104300.tif 000011
【図１０】
2010104300.tif 000012
【図１１】
2010104300.tif 000013
【図１２】
2010104300.tif 000014
【図１３】
2010104300.tif 000015
【図１４】
2010104300.tif 000016
【図１５】
2010104300.tif 000017
【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
上端部が畜舎の屋根から上方に開口し、下端部が畜舎内に開口してなる、上下方向に延びた筒状の排気管と、
該排気管内部に設けられ、前記排気管の下端部から吸い込んだ空気を排気管内を流通させて上端部から排出させるファンとを具備し、
前記排気管は、上下方向に伸縮可能に設けられ、
前記排気管の上下方向の長さを調整可能な長さ調整手段が設けられ、
該長さ調整手段は、一端が前記排気管の下端部に締結され、他端を引っ張ることによって排気管の下端部が上昇するように中途部が前記一端よりも上方に設けられた架け渡し部材に架け渡された複数の紐状部材であることを特徴とする畜舎の換気装置。
【請求項２】
前記排気管の下端部の開口面をいずれかの方向へ向けることができる向き調整手段が設けられていることを特徴とする請求項1記載の畜舎の換気装置。
【請求項３】
前記向き調整手段は、複数の紐状部材のうち少なくともいずれか１つの紐状部材による排気管の下端部の上昇距離を増やすことにより、下端部の上昇距離を増やした方向に開口面が向くように設けられていることを特徴とする請求項２記載の畜舎の換気装置。
【請求項４】
短手方向に沿った両側面に換気用の窓を設けて畜舎の長手方向に沿って外気が流通するように設けられた畜舎に、請求項２または請求項３記載の換気装置を畜舎内部の空気の流通方向に沿って複数配置し、
前記排気管の下端部の開口面を空気の流通方向上流に向けることにより、畜舎内の風速を上げることを特徴とする畜舎の換気方法。 
【手続補正２】
【補正対象書類名】明細書
【補正対象項目名】全文
【補正方法】変更
【補正の内容】
【発明の詳細な説明】
【技術分野】
【０００１】
本発明は畜舎内を換気する換気装置および換気方法に関する。
【背景技術】
【０００２】
牛舎、豚舎および鶏舎等の畜舎においては、畜舎内を良好な飼育環境に維持するために、換気装置が設けられている。
以下、従来の換気装置について説明する。
畜舎の換気装置としては、畜舎の天井部分に換気用の窓を設け、この窓から畜舎内の空気を排気することが知られている（例えば、特許文献１参照）。このような構造の畜舎では、畜舎の側面または下方から外気が導入される。
【０００３】
また、畜舎の窓にファンを設け、ファンによって強制的に畜舎内の空気を排気する構成も開示されている（例えば、特許文献２参照）。
【０００４】
【特許文献１】特開２００３−１６４２３５号公報
【特許文献２】特開２００７−９３０６２号公報
【発明の開示】
【発明が解決しようとする課題】
【０００５】
上述した特許文献１に開示されているような換気装置では、天井付近に存在する暖まった空気のみが排気されやすい。したがって、入気した新鮮な空気がそのまま排気されてしまうという課題がある。また、このような構成では、暖房が必要な時期には、畜舎内の温度を一定に維持することが困難であり、暖房費（燃料代）がかさんでしまうという課題もある。
【０００６】
また、特許文献２に開示されているような換気装置では、畜舎の壁面に設けられたファンが畜舎内の空気を強制的に排気する。
しかし、鶏卵採取用の鶏を飼育する鶏舎のように建物内に複数列のネストが存在しているような場合、ネストとネストとで挟まれた空間の空気は排気されにくく、良好な飼育環境を作りにくいという課題がある。
【０００７】
なお、天井付近で排気をすると、鶏卵採取用の鶏舎では短時間でアンモニアやＣＯ２濃度が高い空気を排出することができ、良好な飼育環境を提供できる。
しかし、ブロイラーを飼育する鶏舎の場合には、床面で飼育を行うため、鶏が成長するにつれて床面付近のアンモニア濃度が上昇し、また床面の湿りも多くなってしまい、育成率の低下により生産効率が下がるという課題がある。
【０００８】
そこで、本発明は、上記課題を解決すべくなされ、その目的とするところは、天井付近や壁面付近のみの空気を排出するのではなく、畜舎内部の空気を良好に排出しうる換気装置を提供することにある。
【課題を解決するための手段】
【０００９】
本発明にかかる畜舎の換気装置によれば、上端部が畜舎の屋根から上方に開口し、下端部が畜舎内に開口してなる、上下方向に延びた筒状の排気管と、該排気管内部に設けられ、前記排気管の下端部から吸い込んだ空気を排気管内を流通させて上端部から排出させるファンとを具備し、前記排気管は、上下方向に伸縮可能に設けられ、前記排気管の上下方向の長さを調整可能な長さ調整手段が設けられ、該長さ調整手段は、一端が前記排気管の下端部に締結され、他端を引っ張ることによって排気管の下端部が上昇するように中途部が前記一端よりも上方に設けられた架け渡し部材に架け渡された複数の紐状部材であることを特徴としている。
この構成を採用することによって、排気管を下方に向けて伸ばすことで、天井付近の空気だけでなく、様々な位置における空気を排気できる。また、天井から排気管が下方に伸びてくるので、畜舎内に複数のネスト等が配置されている場合であっても、ネストとネストとの間の空気を良好に排気できる。また、床面付近の空気を排気することができるので、ブロイラーの飼育にあっても良好な飼育環境を提供できる。また、畜舎の高さに応じ、また飼育している家畜の大きさに応じて排気管の長さを調整することができるので、より好適な飼育環境を提供できる。
【００１０】
また、前記排気管の下端部の開口面をいずれかの方向へ向けることができる向き調整手段が設けられていることを特徴としてもよい。
この構成によれば、排気したい箇所に開口面を向けることができ、排気したい箇所の空気を的確に排気できるようになる。
【００１１】
さらに、前記向き調整手段は、複数の紐状部材のうち少なくともいずれか１つの紐状部材による排気管の下端部の上昇距離を増やすことにより、下端部の上昇距離を増やした方向に開口面が向くように設けられていることを特徴としてもよい。
【００１２】
本発明にかかる換気方法によれば、短手方向に沿った両側面に換気用の窓を設けて畜舎の長手方向に沿って外気が流通するように設けられた畜舎に、請求項２または請求項３記載の換気装置を畜舎内部の空気の流通方向に沿って複数配置し、前記排気管の下端部の開口面を空気の流通方向上流に向けることにより、畜舎内の風速を上げることを特徴とする。
【発明の効果】
【００１３】
本発明にかかる畜舎の換気装置によれば、天井付近だけでなく様々な位置の空気を排気できるので、床面付近の空気を良好に排気することができ、また、ネストが存在している場合であっても、ネスト間の隙間の空気を排気できるので、飼育環境を良好に維持することができる。そして、特に暖房が必要な時期の暖房費の節減に寄与する。また、畜舎の高さに応じ、また飼育している家畜の大きさに応じて排気管の長さを調整することができるので、より好適な飼育環境を提供できる。
本発明にかかる畜舎の換気方法によれば、畜舎内の風速を容易に上げることができ、夏場のブロイラー飼育においては、鶏の体感温度を下げることができる。
【発明を実施するための最良の形態】
【００１４】
まず、本発明に係る畜舎の換気装置が設けられる畜舎全体の概要について、図１〜図２に基づいて説明する。図１は、畜舎の平面図であり、図２は、畜舎の側面図である。
なお、本実施形態における畜舎で飼育される家畜としては鶏であって、畜舎は鶏舎と呼ばれる。この鶏舎１０は食肉用の鶏を飼育するものであり、鶏は床の上で放し飼いにされて飼育される。
鶏舎１０は、平面視すると細長い長方形状に形成されており、図１〜図２で示す鶏舎１０は幅１２ｍ程度、長さ８０ｍ程度である。このような鶏舎１０に対し、天井には本発明にかかる換気装置３０がほぼ所定間隔を開けて複数箇所（図１では５箇所）に設けられている。
【００１５】
鶏舎１０の長手方向に沿った側面１１には空気取り込み用の小さい窓１２が設けられているが、換気用の大きな窓は設けられていない。鶏舎の短手方向に沿った両側面１３ａ，１３ｂにはそれぞれ換気用の窓１４が設けられている。このような構成とすることで、鶏舎の長手方向に沿って外気が流通し、換気が行える。なお、この窓１４のうち一方の側面１３ａにはファンを設け、他方の側面１３ｂにはファンを設けないようにしてもよい。
このような鶏舎はウインドレス鶏舎と言い、内部は照明灯によってその明るさが調整される。
【００１６】
図３に基づいて、換気装置の鶏舎への取付構造について説明する。
本実施形態における鶏舎１０は、天井が形成されておらず、柱９に対して傾斜して取り付けられた屋根支え用の複数のビーム８と、各ビーム８の上に配置されたサブビーム７の上に屋根１５が設けられている。
鶏舎１０の屋根１５には、換気装置３０を取り付けるための取付穴２０が穿設されており、換気装置３０の上端部が取付穴２０から屋根１５の外側に突出するように屋根１５に対して取り付けられる。
【００１７】
屋根１５の外側においては、取付穴２０から突出する換気装置３０の上端部の外周及び上面を覆う風雨防護部２２が設けられている。風雨防護部２２は、換気装置３０の上端部の外周において配置された排気が可能なガラリ１６と、上面において配置された雨の進入を防止する屋根１７とを備えている。
換気装置３０が鶏舎１０内の空気を換気装置３０の上端部へ送り込み、上端の開口部から排気すると、この排気は風雨防護部２２の側面のガラリ１６から排気される。
【００１８】
次に、図４〜図６に基づいて本発明にかかる換気装置３０について説明する。図４は、
換気装置の全体構成を示し、図５は、換気装置の下部の変形部について示している。図６は、換気装置の上端部の構成について示している。なお、図４では、変形部３４は縮んでおり固定部３５と比較して短い状態で図示されている。
【００１９】
換気装置３０は、鶏舎１０の屋根１５から屋根１５の外部へ上端部が突出する筒状の排気管３１を備えており、この排気管３１の内部にファン３２が設けられている。ファン３２が回転駆動することによって、鶏舎１０内の空気が排気管３１の下端部の流入口３１ａから流入し、排気管３１内部を流通して排気管３１の上端部の排気開口部３１ｂから排気される。
【００２０】
換気装置３０の排気管３１は、上下方向の所定箇所で区切った上側と下側とではその構造が異なっており、上側は変形不能な円筒状に形成された固定部３５であり、下側は上下方向に伸縮可能に形成された変形部３４である。
固定部３５は、例えばポリエチレンなどの合成樹脂製であり、鶏舎１０への取り付け、
並びに内部にファン３２を内蔵する必要があるため、変形しないように強固に形成される。
【００２１】
以下、固定部３５の構造と、鶏舎１０への固定方法について説明する。
換気装置３０は、固定部３５がビーム８またはサブビーム７から吊り下げられて固定されている。具体的には、取付穴２０の周囲のサブビーム７には枠（図示せず）が組み付けられ、この枠に固定部３５の周囲を囲むように配置された４本の柱材２６が取り付けられている。柱材２６の下端部には、固定部３５の周囲を囲むように配置された枠状の保持部材２７が取り付けられている。
【００２２】
保持部材２７は、固定部３５の所定位置において、排気管３１の外周全体を囲むように配置される。この保持部材２７はＬ字状の固定金具５１によって固定部３５の外壁に固定されている。保持部材２７は、例えば木製の角柱であり、排気管３１の周囲を、平面視四角形状に囲むように配置される。
【００２３】
このようにして排気管３１に取り付けられた保持部材２７と、鶏舎１０の屋根１５の下に配置されたサブビーム７から下方に向けて設けられた柱材２６とによって換気装置３０が吊り下げられる。
【００２４】
次に、排気管３１内へのファン３２の取り付け構造について説明する。
排気管３１の固定部３５の内壁面には、ファン３２を構成するモータ４９を支持する支持部材５２が内側に突出するように設けられている。支持部材５２がモータ４９を支持することによって、ファン３２は排気管３１内の所定箇所で固定される。
【００２５】
また、図６に示すように、排気管３１の排気開口部３１ｂには、外気の逆流防止用の逆流防止弁２４が設けられている。逆流防止弁２４の具体例としては、厚さ５ｍｍ〜１ｃｍ程度のポリウレタン製のシート（防水加工が必要）等を用いることができる。
逆流防止弁２４は、排気開口部３１ｂの径よりも大径であって、排気開口部３１ｂから排気される空気に押圧されると排気開口部３１ｂから外方に向かって開く。そして、逆流防止弁２４は、排気管３１からの排気が無いときは、自重および外気によって排気開口部３１ｂ方向に押圧されて排気開口部３１ｂの端縁に当接し、排気開口部３１ｂは閉塞される。
【００２６】
図７〜図９に、逆流防止弁２４の具体的構成を示す。図７は、排気開口部を閉塞しているときの平面図、図８は、排気開口部を閉塞しているときの側面図、図９は、逆流防止弁の開閉部分の取付構造の拡大図である。
逆流防止弁２４としては、上記のように軽量の板状部材２４ａ，２４ｂが排気開口部３１ｂの上面に対して２枚取り付けられて構成されている。
各板状部材２４ａ，２４ｂは、排気開口部３１ｂの円の中心を通る直線に対して対向して配置され、この直線を中心に上方に向けて回動可能にそれぞれ取り付けられる。
【００２７】
各板状部材２４ａ，２４ｂの、互いに対向する側の端部には、それぞれ複数個のクリップ状部材６０ａ，６０ｂがネジ６３等によって取り付けられている。クリップ状部材６０ａ，６０ｂは、側面視するとコの字状に形成されており、板状部材２４ａ，２４ｂを挟み込んでいる部位とコの字の壁面６１との間に空隙６２が形成される。
この空隙６２に排気開口部３１ｂの円の中心を通る直線上に配置される回動用支持シャフト６４が挿入される。各クリップ状部材６０ａ，６０ｂは、回動用支持シャフト６４を中心に自由に回動可能となる。回動用支持シャフト６４の両端部は、固定部３５の側面に対して取り付けられる支持具６５によって固定されている。
このような構成により、排気圧が各板状部材２４ａ，２４ｂの下面を押圧すると、各板状部材２４ａ，２４ｂが容易に上方へ開いて排気が可能となる。
【００２８】
また、各板状部材２４ａ，２４ｂの回動について、回動しすぎないように各板状部材２４ａ，２４ｂが所定の位置で停止するように規制する規制部材６６が設けられている。規制部材６６は、回動用支持シャフト６４の上方に設けられ、回動用支持シャフト６４よりも外方に突出して回動した各板状部材２４ａ，２４ｂに当接する。
【００２９】
次に変形部の構成について説明する。
変形部３４は、上下方向に伸縮可能に設けられている部位であり、具体的には、排気管３１におけるファン３２よりも下方に位置する部位が、低剛性の変形自在なシート状部材で形成されている。
このようなシート状部材の変形部３４は、何も力を加えていないときは自身の重量および下端部の取り入れ口部材（後述する）３８の重量によって下方に力が加えられているので、通常下方に向けて伸びた状態となる。
そして、何らかの手段で変形部３４の下端部を持ち上げることによって変形部３４を変形させて縮めることにより、排気管３１の上下方向の長さを自在に変更することができる。
【００３０】
なお、固定部３５の下端部３５ａはベルマウス形状に形成されており、変形部３４のシート状部材は、このベルマウス形状の下端部３５ａに取り付けられる。
【００３１】
変形部３４を構成するシート状部材としては、ポリエステルやナイロンで形成されたターポリン、あるいは綿などで形成された帆布など様々なものを採用できる。ただし、汚れが付着した場合の洗浄しやすさや、耐熱性・耐火性などを考慮する必要がある。
【００３２】
変形部３４には、筒状の形状維持のために、金属製でリング状の保持部材３６が所定間隔おきに、上下方向に亘って取り付けられている。したがって、変形部３４は、その上下方向の長さが縮められる際には、保持部材３６と上下方向に隣接する保持部材３６との間でシート状部材が蛇腹状に折り畳まれる。
【００３３】
排気管３１の下端部（変形部３４の下端部）はベルマウス形状に形成されている。具体的には、排気管３１の変形部３４の下端部には、ベルマウス形状に形成された取り入れ口部材３８が取り付けられている。取り入れ口部材３８は合成樹脂等で形成されており、外壁面が、下方に向けて徐々に大径となるような曲面で形成されている。
取り入れ口部材３８の外壁面の上端部は垂直に立ち上がるように形成されており、この上端部と、排気管３１の変形部３４の下端部とがボルト５８とナット５９によって複数箇所で固定されることで、取り入れ口部材３８が排気管３１に取り付けられる。
このように、排気管３１の下端部をベルマウス形状に形成したことによって、排気管３１には空気がスムーズに流入するようになる。
【００３４】
また、取り入れ口部材３８の下端部周縁３８ａは、ほぼ水平となるように形成されており、この水平の周縁には上方に向けて突出するアイボルト（リング状の部材）４０が取り付けられる。
このアイボルト４０には、排気管３１の下端部の高さを調節するための紐状部材４２の一端が結びつけられている。紐状部材４２は、他端をユーザ（作業者）が引っ張ることによって、一端に連結された排気管３１の下端部を上昇させるために設けられているものである。すなわち、本実施形態では、この紐状部材４２が特許請求の範囲でいう高さ調整部材に該当する。
【００３５】
次に、図１０〜図１２に基づいて換気装置３０の伸縮動作について説明する。なお、図１０は変形部が伸びているところ、図１１は変形部が縮んでいるところ、図１２は変形部が伸びている状態で開口部の向きを変えているところを示す。
また、これらの図面では上述した保持部材２７などを省略して図示している。
【００３６】
取り入れ口部材３８において上方へ突出するように設けられたアイボルト４０には、紐状部材４２の一端が挿入され、長さ調整部材４６に固定されている。長さ調整部材４６は、アイボルト４０との間の紐状部材４２の長さ調整をするために用いられるものであり、紐状部材４２を通す２つの穴４７，４７が形成されている。
紐状部材４２の一端は、まず長さ調整部材４６の上方の穴４７に挿入され、アイボルト４０のリング状の部分を通して、長さ調整部材４６の下方の穴４７に挿入され、縛ったりして結び目を作り、穴４７から抜けないようにすることで固定される。
【００３７】
また、紐状部材４２の他端は、ユーザの手の届く範囲で上方から垂れ下がるように設けられるとよい。
すなわち、図１０〜図１２に示すように、紐状部材４２は排気管３１の下端部から上方に延び、中途部がビーム８に設けられた複数（単数でもよい）の滑車４４に掛け渡され、他端が下方に位置するように滑車４４から下向きに向かって延びている。紐状部材４２の他端は、鶏舎１０の壁面等に設けられたフック状部材５７にかけて固定させればよい。なお、本実施形態の滑車４４が特許請求の範囲でいう架け渡し部材に該当する。したがって、本発明としては、紐状部材４２を架け渡すのは滑車には限定されず、単なるリング状またはフック状の部材であってもよい。
【００３８】
また、紐状部材４２は、排気管３１の平面視すると所定間隔おきにわたって複数本設けられている。好ましくは所定の間隔をあけて３本程度の紐状部材４２を設けることが好ましい。ただし、図面上では２本の紐状部材４２しか示していない。
すなわち、図１１に示すように、複数本の紐状部材４２の他端をそれぞれ等しい長さ分だけ引っ張ることによって、排気管３１の下端部を所定の高さにまで引き上げることができる。
また、複数本の紐状部材４２の他端を、なるべく１箇所に集めることによりユーザの作業性を良くすることができる。
【００３９】
なお、図１２に示すように、複数本の紐状部材４２のうち、いずれかの紐状部材４２の長さ調整部材４６によって長さ調整をすることにより、この紐状部材４２の一端が取り付けられた部分のみが高く持ち上げられる。すなわち、長さ調整部材４６を紐状部材４２に対してスライドさせるように上方に引っ張り上げることで、排気管３１の下端部を任意の傾きにすることができる。
この結果、排気管３１の下端部の開口面が傾いて、排気管３１の下端部の開口面が床面ではない方向を向くようにすることができる。
すなわち、複数本の紐状部材が特許請求の範囲でいう向き調整手段に該当する。
【００４０】
次に、上述してきた換気装置の使用形態について、図１３〜図１５に基づいて説明する。
これらの図は、１つの鶏舎１０に対して複数の換気装置３０が長手方向に複数配置されているところを示している。この構成の鶏舎１０では、側面１３ａの窓１４にファンが設けられており、鶏舎１０内では、鶏舎１０の長手方向に沿って空気が流通するようになっている。
【００４１】
図１３では、換気装置３０の変形部３４を縮めており、排気管３１の流入口３１ａが屋根１５に近い位置に配置される。この場合は、屋根付近の暖かい空気を排気する。なお、床面付近の空気は窓１４からの排気をすることができる。ただし、鶏卵用のネスト（鶏に卵を産ませる場所）が設けられていると、ネストとネストとの間の空気はなかなか排気されずに滞留することとなってしまい、鶏の飼育環境に影響を及ぼすおそれもある。
【００４２】
図１４では、換気装置３０の変形部３４を伸ばしており、排気管３１の流入口３１ａが床面に近い位置に配置される。この場合は、鶏がいる床面近くの空気を確実に排気できる。このため、鶏が生活する床面付近の温度を下げ、アンモニア濃度も下げることができるので、鶏の生活環境を改善することができる。また、上部の暖まった空気を保持することができるので、暖房効率を良くし、暖房費の節減などにも寄与する。
【００４３】
図１５には、複数の換気装置３０の流入口３１ａの向きを揃えて鶏舎１０内を流れる空気の風速を上げる構成を示している。
ここでは、元々鶏舎１０内では、長手方向に沿って空気が流通するように設けられており、複数の換気装置３０はこの空気の流通方向に沿って配置されている。
各換気装置３０の流入口３１ａは、空気の流通方向の上流側を向くように傾けられる。
すると、流通する空気が各流入口３１ａに吸い込まれていくので、鶏舎１０内の風速を容易に上げることができる。このため、特に夏場のブロイラー飼育においては、鶏の体感温度を下げることができる。
【００４４】
また、畜舎内で家畜の飼育を場所を区切って行う場合もある。例えば、食肉用の鶏の場合、雛のように小さいときは畜舎内を区切った一部内のみで飼育を行い、大きくなるにつれて畜舎全体を使って飼育を行うことが考えられる。
このような場合、換気装置３０の位置によっては、単に排気管３１を下降させただけでは排気したい場所に排気管３１の下端部が到達しないこともある。かかる場合、高さ調整手段を用いて排気管の下端部を鶏の成長に合わせて所定の高さに調整するとともに、上述した向き調整手段を用いて家畜が飼育されている側に下端部の開口部を向けるようにするとよい。すると、飼育スペース側（排気したい空気が存在する箇所）の空気を適切に排気することができる。
【００４５】
なお、上述してきた実施形態では、排気管の伸縮は、シート状部材を排気管の構成としてこのシート状部材が折り畳まれたり延びたりして、伸縮を可能とした。
しかし、本発明としてはこの構成に限定することはない。例えば、排気管を蛇腹状に形成し、蛇腹の部分を伸縮させることにより排気管を伸縮可能に設けても良い。さらに、この蛇腹の部分が変形させた状態一定の形状を保持できる構成であれば好適である。
【００４６】
上述した実施形態では、畜舎の例としてウインドレスの鶏舎を例に挙げたが、本発明はウインドレスの鶏舎に限らず、牛舎、豚舎等様々な家畜を飼育する畜舎に採用することができる。
【図面の簡単な説明】
【００４７】
【図１】本発明に係る換気装置を設置する畜舎の概略平面図である。
【図２】図１に示した畜舎の側面図である。
【図３】換気装置の畜舎への取付構造を示す説明図である。
【図４】換気装置の全体構成を示す側面図である。
【図５】換気装置の変形部を示す側面図である。
【図６】排気管の上端部の構成を示す説明図である。
【図７】逆流防止弁が排気開口部を閉塞しているところを示す平面図である。
【図８】逆流防止弁が排気開口部を閉塞しているところを示す側面図である。
【図９】逆流防止弁の取付構造の拡大図である。
【図１０】換気装置の変形部を伸ばした使用状態を示す説明図である。
【図１１】換気装置の変形部を縮めた使用状態を示す説明図である。
【図１２】排気管の下端部の向きを変えたところを示す説明図である。
【図１３】畜舎内に複数の換気装置を設け、排気管を縮めたときの作用効果を説明する説明図である。
【図１４】畜舎内に複数の換気装置を設け、排気管を伸ばしたときの作用効果を説明する説明図である。
【図１５】畜舎内に複数の換気装置を設け、流入口を傾けて向きを揃えたときの作用効果を説明する説明図である。
【符号の説明】
【００４８】
７  サブビーム
８  ビーム
９  柱
１０  鶏舎（畜舎）
１１  側面
１２，１４  窓
１３ａ，１３ｂ  側面
１５，１７  屋根
１６  ガラリ
２０  取付穴
２２  風雨防護部
２４  逆流防止弁
２４ａ，２４ｂ  板状部材
２６  柱材
２７  保持部材
３０  換気装置
３１  排気管
３２  ファン
３４  変形部
３５  固定部
３６  保持部材
３８  取り入れ口部材
４０  アイボルト
４２  紐状部材
４４  滑車
４６  長さ調整部材
４７  穴
４９  モータ
５１  固定金具
５２  支持部材
５７  フック状部材
５８  ボルト
５９  ナット
６０  クリップ状部材
６１  壁面
６２  空隙
６３  ネジ
６４  回動用支持シャフト
６５  支持具
６６  規制部材